(57)【要約】【課題】電子装置が発する熱を放出させることができる電子装置用スタンドを提供することを目的とする。【解決手段】本発明に係る電子装置用スタンドは、台座と、電子装置を収容する載置体と、放熱部と、を備える。前記載置体は、前記台座に着脱可能に装着され、前記台座は、前記載置体を動かして回転させ、前記放熱部は、放熱板及び前記放熱板に設けられた複数の放熱フィンを備え、前記放熱板は、前記載置体における前記電子装置の放熱エリアに対応する位置に装着されている。【選択図】図４
2014131045.tif 000002
【特許請求の範囲】
【請求項１】
台座と、電子装置を収容する載置体と、放熱部と、を備える電子装置用スタンドであって、
前記載置体は、前記台座に着脱可能に装着され、前記台座は、前記載置体を動かして回転させ、前記放熱部は、放熱板及び前記放熱板に設けられた複数の放熱フィンを備え、前記放熱板は、前記載置体における前記電子装置の放熱エリアに対応する位置に装着されていることを特徴とする電子装置用スタンド。
【請求項２】
前記載置体は、導熱シートが装着された底壁を備え、前記導熱シートは高熱伝導材料からなることを特徴とする請求項１に記載の電子装置用スタンド。
【請求項３】
前記底壁は、正面及び背面を備え、前記導熱シートは、前記正面に装着され、前記放熱部の前記放熱板は、前記背面における前記電子装置の放熱エリアに対応する位置に装着されていることを特徴とする請求項２に記載の電子装置用スタンド。
【請求項４】
前記放熱部は、金属材料又は高い熱伝導率を有する材料からなることを特徴とする請求項１から３のいずれか一項に記載の電子装置用スタンド。
【請求項５】
前記台座は、取付筒及び固定用ブロックを備え、前記取付筒の一方側には、切欠きが設けられており、前記固定用ブロックは、前記取付筒における前記切欠きの反対側の表面に装着されていることを特徴とする請求項２または３に記載の電子装置用スタンド。
【請求項６】
前記固定用ブロックは、互いに離間する２つのリブが設けられた取付面を備え、各リブの一端には、ブロックが設けられており、前記ブロックと前記取付面との間には、スライド溝が形成されており、
前記載置体の前記底壁の背面には、２つのスロットが間隔をあけて設けられ、各スロットの両側には、ガイド片が設けられ、前記スライド溝が前記ガイド片にスライド可能に装着されることによって、前記リブは前記スロットに係止される
ことを特徴とする請求項５に記載の電子装置用スタンド。
【発明の詳細な説明】
【技術分野】
【０００１】
本発明は、電子装置用スタンドに関するものである。
【背景技術】
【０００２】
従来の携帯電話機用スタンドは、通常、台座及び積載盤を備え、携帯電話機は、積載盤内に設置される。これによって、ユーザは、容易に室内或いは車上で電話に出ることやビデオナビゲーションを見ることができる。
【０００３】
しかし、長時間の通話或いはナビゲーションの後、携帯電話機の背部はより大きな熱量を発生する。また、熱量は、前記積載盤により阻止されて、携帯電話機と前記積載盤との間に集まるため放出し難い。従って、従来のスタンドは、携帯電話機の放熱を阻害し、且つ携帯電話機を損傷し易い。
【発明の概要】
【発明が解決しようとする課題】
【０００４】
以上の問題点に鑑みて、本発明は、電子装置が発する熱を放出させることができる電子装置用スタンドを提供することを目的とする。
【課題を解決するための手段】
【０００５】
前記問題を解決するために、本発明に係る電子装置用スタンドは、台座と、電子装置を収容する載置体と、放熱部と、を備える。前記載置体は、前記台座に着脱可能に装着され、前記台座は、前記載置体を動かして回転させ、前記放熱部は、放熱板及び前記放熱板に設けられた複数の放熱フィンを備え、前記放熱板は、前記載置体における前記電子装置の放熱エリアに対応する位置に装着されている。
【発明の効果】
【０００６】
従来の技術と異なり、本発明の電子装置用スタンドには、放熱部が設けられており、この放熱部によって、電子装置が発生する熱量は分散されて低減される。従って、本発明は、電子装置が過熱になることに起因するダメージを防止することができる。
【図面の簡単な説明】
【０００７】
【図１】本発明の実施形態に係る電子装置用スタンドの分解斜視図である。
【図２】図１に示した電子装置用スタンドを別の視点から見た分解斜視図である。
【図３】図１に示した電子装置用スタンドの組立斜視図である。
【図４】図３に示した電子装置用スタンドが電子装置を載置している状態を示す図である。
【発明を実施するための形態】
【０００８】
図１及び図２に示すように、本発明の電子装置用スタンドは、自転車のハンドル２００或いは他の棒状体に装着されて、携帯電話機などの電子装置を載置することに用いられる。本実施形態において、前記電子装置用スタンドは、携帯電話機１００（図４を参照）を収容して支持するために用いられ、且つ台座１０、載置体２０及び放熱部３０を備える。
【０００９】
台座１０は、取付筒１１、固定用ブロック１２及び２つのリブ１３を備える。取付筒１１は、ゴムなどの弾性材質からなる円筒状のものである。取付筒１１の一方側には、長軸方向に沿って切欠き１１１が設けられている。取付筒１１は、切欠き１１１を介して自転車のハンドル２００などの棒状体を囲むように装着される。本実施形態において、固定用ブロック１２は、プラスチックからなり、取付筒１１における切欠き１１１の反対側の面に成形されている。固定用ブロック１２の取付筒１１から離れる側の面には、載置体２０を搭載するための取付面１２１が設けられている。２つのリブ１３は、取付面１２１に突設されている。各リブ１３は、その一端に固定用ブロック１２の長辺に対して平行に延在するブロック１３１をそれぞれ有するので、各リブ１３は「Ｔ」字状を呈する。また、各ブロック１３１は取付面１２１と間隔をあけて設けられているので、ブロック１３１と取付面１２１との間にはスライド溝１３２が形成されている。
【００１０】
図３を併せて参照すると、載置体２０は、矩形の筺体であり、底壁２１、対向する２つの側壁２２及び対向する２つの端壁２３を備える。底壁２１は、正面２１１及び背面２１２を備える。２つの側壁２２及び２つの端壁２３は、底壁２１の正面２１１の周縁を取り囲むように突設されている。また、側壁２２及び端壁２３は、弾性を有し、サイズが異なる携帯電話機１００を挟持するために用いられる。底壁２１の正面２１１には、高熱伝導率を有する材料からなる導熱シート２４がさらに設けられている。底壁２１の背面２１２の一端には、２つのスロット２５が間隔をあけて設けられている。スロット２５は、「Ｔ」字状の凹溝であり、取付部２５１及び取付部２５１と連通するスライド部２５２を備える。底壁２１の背面２１２における各スライド部２５２の両側には、ガイド片２５３がそれぞれ設けられている。
【００１１】
載置体２０を台座１０に取り付ける際、リブ１３のブロック１３１を、取付部２５１からスロット２５内に挿入させた後、載置体２０をスライドして、各リブ１３のスライド溝１３２をガイド片２５３に沿ってスライドさせる。これにより、リブ１３は、ブロック１３１を介してスロット２５内に係止され、載置体２０は台座１０に装着される。本実施形態において、好ましくは、載置体２０の底壁２１は、熱伝導性を有する材料からなる。
【００１２】
放熱部３０は、金属材料或いは高熱伝導率を有する材料からなり、且つ放熱板３１及び放熱板３１の片側に間隔をあけて設けられた複数の放熱フィン３２を備える。放熱板３１は、底壁２１の背面２１２の他端に設けられ、且つ携帯電話機１００の放熱エリア（即ち、電池部位）に対応する。
【００１３】
図４を併せて参照すると、携帯電話機１００が載置体２０の内部に設置された際、側壁２２及び端壁２３は携帯電話機１００を固定し、携帯電話機１００の高放熱エリア（例えば、電池部位）は導熱シート２４と接触する。携帯電話機１００を使用する過程において、携帯電話機１００の電池が放出する熱量は、導熱シート２４により放熱部３０まで伝導されて、放熱フィン３２を介して発散される。これにより、携帯電話機１００が発する熱量は、効率よく且つ素早く拡散され、過熱に起因するダメージを受けない。また、本発明の電子装置用スタンドを使用する際に、携帯電話機１００の角度を調節したい場合、台座１０の取付筒１１を直接的に回転すればよい。具体的には、取付筒１１が回転されると、携帯電話機１００は載置体２０と共に連動して回転される。
【００１４】
また、別の実施形態において、導熱シート２４を省略して、携帯電話機の熱量を直接的に放熱部３０に伝導させて、放熱部３０のみで携帯電話機１００の熱量を吸収して拡散しても良い。
【符号の説明】
【００１５】
１０  台座
１１  取付筒
１１１  切欠き
１２  固定用ブロック
１２１  取付面
１３  リブ
１３１  ブロック
１３２  スライド溝
２０  載置体
２１  底壁
２１１  正面
２１２  背面
２２  側壁
２３  端壁
２４  導熱シート
２５  スロット
２５１  取付部
２５２  スライド部
２５３  ガイド片
３０  放熱部
３１  放熱板
３２  放熱フィン
１００  携帯電話機
２００  自転車のハンドル
【図１】
2014131045.tif 000003
【図２】
2014131045.tif 000004
【図３】
2014131045.tif 000005
【図４】
2014131045.tif 000006